(57)【要約】【課題】生産性を改善することが可能なタイヤモールド予熱方法及び装置を提供する。【解決手段】タイヤ加硫機に装着されるタイヤモールド１の予熱方法である。タイヤ加硫機に装着する前のタイヤモールド１を予熱容器２内に収容した後、予熱容器２内に過熱蒸気を供給してタイヤモールド１を予め加熱する。タイヤモールド１の加熱中、タイヤモールド１に設けた温度センサー１９により温度を検出し、検出した温度が予め設定した温度に到達した時点で加熱を終了する。【選択図】図１
2009220466.tif 000002
【特許請求の範囲】
【請求項１】
タイヤ加硫機に装着されるタイヤモールドの予熱方法であって、タイヤ加硫機に装着する前のタイヤモールドを予熱容器内に収容し、該予熱容器内に過熱蒸気を供給して前記タイヤモールドを予め加熱するタイヤモールド予熱方法。
【請求項２】
前記タイヤモールドは温度センサーを有し、タイヤモールド加熱中、該温度センサーにより温度を検出し、検出した温度が予め設定した温度に到達した時点で加熱を終了するタイヤモールド予熱方法。
【請求項３】
タイヤ加硫機に装着されるタイヤモールドを予熱する装置であって、タイヤモールドを収容する開閉可能な予熱容器と、該予熱容器に過熱蒸気を供給する供給手段とからなるタイヤモールド予熱装置。
【発明の詳細な説明】
【技術分野】
【０００１】
本発明は、タイヤの加硫機に装着されるタイヤモールドの予熱方法と装置に関し、更に詳しくは、生産性の改善に寄与するタイヤモールド予熱方法及び装置に関する。
【背景技術】
【０００２】
一般に、タイヤ加硫機では、加硫するタイヤのサイズや種類の変更に伴い、タイヤモールドを取り替えるようにしている。新たにタイヤ加硫機に装着したタイヤモールドは、温度が低い状態にあるため、タイヤを加硫する前に予め所定の温度まで加熱する必要がある。通常、タイヤ加硫機の加熱手段を用いて取り付けたタイヤモールドを予熱するようにしている（例えば、特許文献１参照）。
【０００３】
しかしながら、タイヤ加硫機の加熱手段を用いて予熱する際の予熱時間を短縮するにも限度があり、しかも装着したタイヤモールドが所定の温度に達するまでタイヤ加硫機で加硫作業ができず、それが生産性を阻害する一因になっていた。
【特許文献１】特開平９−１９３１６０号公報
【発明の開示】
【発明が解決しようとする課題】
【０００４】
本発明の目的は、生産性を改善することが可能なタイヤモールド予熱方法及び装置を提供することにある。
【課題を解決するための手段】
【０００５】
上記目的を達成する本発明のタイヤモールド予熱方法は、タイヤ加硫機に装着されるタイヤモールドの予熱方法であって、タイヤ加硫機に装着する前のタイヤモールドを予熱容器内に収容し、該予熱容器内に過熱蒸気を供給して前記タイヤモールドを予め加熱することを特徴とする。
【０００６】
本発明のタイヤモールド予熱装置は、タイヤ加硫機に装着されるタイヤモールドを予熱する装置であって、タイヤモールドを収容する開閉可能な予熱容器と、該予熱容器に過熱蒸気を供給する供給手段とからなることを特徴とする。
【発明の効果】
【０００７】
上述した本発明によれば、タイヤ加硫機に装着する前にタイヤモールドを予熱することで、加硫するタイヤのサイズや種類の変更に伴ってタイヤモールドを取り替えるときに、タイヤモールドを既に予熱した状態にすることが可能になるため、タイヤ加硫機での予熱作業を排除し、タイヤ加硫機の稼動率を高めることができるので、生産性の改善が可能になる。
【０００８】
また、予熱容器内に収容したタイヤモールドに加熱媒体を直接接触させることが可能になるので、加熱効率を高めて予熱時間を短縮することもできる。
【０００９】
更に、タイヤモールドの予熱に使用する過熱蒸気は、大気圧力で高温となるため、高温の蒸気でタイヤモールドを効率よくかつ安全に加熱することができる。
【００１０】
また、過熱蒸気は、飽和蒸気のようにドレンが発生することがないので、ドレンを排出する機構が不要であり、更にドレンの発生がない窒素ガスなどの気体を用いると、熱容量が低いために予熱時間が長くなるが、過熱蒸気はそのような問題が生じることがない。
【発明を実施するための最良の形態】
【００１１】
以下、本発明の実施の形態について添付の図面を参照しながら詳細に説明する。
【００１２】
図１は、本発明のタイヤモールド予熱方法に使用するタイヤモールド予熱装置の概略図を示し、１は不図示のタイヤ加硫機に装着されるタイヤモールドである。タイヤモールド予熱装置は、タイヤモールド１を収容して予熱するための予熱容器２と、この予熱容器２に過熱蒸気を供給する供給手段３を備えている。
【００１３】
開閉可能な予熱容器２は、下部容器部２１と上部容器部２２から構成され、不図示の開閉手段により上部容器部２２を上昇させることにより予熱容器２が開状態になり、タイヤモールド１を予熱容器２内に収容、或いは予熱容器２から取り出せるようにしている。予熱容器２内の床面には、タイヤモールド１を載置するための複数の載置部材４が配置されている。
【００１４】
供給手段３は、過熱蒸気を発生させる過熱蒸気発生源３１とこの過熱蒸気発生源３１で発生した過熱蒸気を予熱容器２内に導入するためのポンプ３２を備えている。ポンプ３２により予熱容器２内に供給された過熱蒸気は、予熱容器２内を循環した後、排出ポンプ５により外部に排出されようになっている。
【００１５】
タイヤモールド１は、タイヤのサイドウォール部を成型する上モールド１１と下モールド１２及びトレッド部を成型する複数のセグメントモールド１３を備えたモールド本体１４と、下モールド１２を載置固定するベースプレート１５、セグメントモールド１３を保持するホルダー１６、ホルダー１６を前後にスライドさせるためのスライドブロック１７を備えている。
【００１６】
１８はスライドブロック１７内に設けた、加硫時に熱媒体を循環させるためのジャケットである。タイヤモールド１のセグメントモールド１３は埋設された温度センサー１９を有し、この温度センサー１９を用いて、タイヤモールド１の予熱中の温度を検出できるようにしている。
【００１７】
以下、図１を参照しながら、本発明のタイヤモールド予熱方法を説明する。
【００１８】
先ず、不図示の開閉手段により上部容器部２２を上昇させることにより予熱容器２を開にする。次いで、タイヤ加硫機装着前のタイヤモールド１を不図示の搬送手段により搬送し、予熱容器２内の載置部材４上に載置する。タイヤモールド１を予熱容器２内に収容すると、上部容器部２２を降下させ、予熱容器２を閉止する。
【００１９】
閉止後、供給手段３が作動する。過熱蒸気発生源３１で発生した過熱蒸気をポンプ３２により予熱容器２内に供給する。予熱容器２内に導入された過熱蒸気は、予熱容器２内を循環した後、排出ポンプ５により外部に排出される。循環する過熱蒸気により予熱容器２内のタイヤモールド１が加熱される。タイヤモールド１の加熱中、温度センサー１９によりタイヤモールド１（セグメントモールド１３）の温度が検出される。この検出した温度が予め設定した温度に到達すると、供給手段３の作動が停止し、加熱を終了する。予熱容器２が開になり、加熱されたタイヤモールド１が予熱容器２から取り出され、タイヤ加硫機に向けて搬送される。
【００２０】
上述した本発明によれば、タイヤ加硫機に装着する前にタイヤモールド１を予め加熱するようにしたので、タイヤモールド変更時にタイヤモールド１を既に予熱した状態にすることが可能になる。そのため、タイヤ加硫機での予熱作業がなくなり、タイヤ加硫機の稼動率を高めることができるので、生産性を向上することができる。
【００２１】
また、予熱容器２内に収容したタイヤモールド１に加熱媒体を直接接触させることが可能となるため、加熱効率を高めて予熱時間を短くすることができる。更に、タイヤモールド１の予熱に使用する過熱蒸気は、大気圧力で高温となるため、高温の蒸気でタイヤモールド１を効率よくかつ安全に加熱することができる。
【００２２】
しかも、過熱蒸気は、飽和蒸気のようにドレンが発生することがないので、ドレンを排出する機構が不要であり、更にドレンの発生がない窒素ガスなどの気体を用いると、熱容量が低いために予熱時間が長くなるが、過熱蒸気はそのようなことがない。
【００２３】
本発明において、タイヤモールド１の予熱に使用する過熱蒸気としては、温度が１６０〜３００℃、圧力が常圧のものを好ましく用いることができる。
【実施例１】
【００２４】
常温のタイヤモールドを加硫開始時に適した温度（内部温度１６０℃）となるように、上述したタイヤモールド予熱装置を用いる本発明方法１，２（実施例１，２）と、タイヤ加硫機の加熱手段（プラテンとジャケット）を用いる従来方法（従来例）により予熱したときの時間（分）と、タイヤモールドの予熱交換時にタイヤ加硫機を停止した時間（分）をそれぞれ測定したところ、表１に示す結果を得た。なお、タイヤモールドの交換時間は、いずれも３０分である。
【００２５】
【表１】
2009220466.tif 000003
【００２６】
表１から、本発明の方法は、タイヤモールドの予熱交換時にタイヤ加硫機を停止する時間がタイヤモールド交換時間だけで済むため、タイヤ加硫機の停止時間が従来より短く、生産性の改善が可能であることがわかる。
【００２７】
また、加熱媒体がタイヤモールドに直接接する本発明の方法は、同じ温度の蒸気を使用した従来の方法より予熱時間を大幅に短縮でき、加熱効率が極めて高いことがわかる。
【図面の簡単な説明】
【００２８】
【図１】本発明のタイヤモールド予熱方法に使用するタイヤモールド予熱装置の概略図である。
【符号の説明】
【００２９】
１  タイヤモールド
２  予熱容器
３  供給手段
１９  温度センサー
【図１】
2009220466.tif 000004